(57)【特許請求の範囲】
【請求項１】
再生装置と双方向にシリアルデータを送受信するバスインターフェースと、
画像データと当該画像データの画像処理条件を含む再生状態制御信号とを前記バスインターフェースを介して前記再生装置から受信する受信手段と、
前記受信手段によって受信された画像データ及び再生状態制御信号を記録媒体に記録する記録手段と、
前記再生状態制御信号に応じて、前記記録媒体に記録された画像データを再生する再生手段と、
前記受信手段による画像データの受信が終了したことに応じて前記バスインターフェースに、伝送が終了したことを示す情報を送信する送信手段とを有することを特徴とするプリンタ装置。
【請求項２】
前記再生手段で再生された画像データをプリントするプリント手段を有し、前記画像処理条件は、プリントサイズ情報を含むことを特徴とする請求項１記載のプリンタ装置。
【請求項３】
プリンタ装置と双方向にシリアルデータを送受信するバスインターフェースと、
記録媒体に記録された画像データと当該画像データの画像処理条件を含む再生状態制御信号とを、前記バスインターフェースを介して前記プリンタ装置に送信する送信手段と、
前記プリンタ装置が前記画像データを前記再生状態制御信号に従ってプリントし、そのプリントが終了したことを示すプリント終了データを受信する受信手段と
を有することを特徴とする再生装置。
【請求項４】
前記受信手段が前記プリント終了データを受信したことに応じて、前記画像データを記録する記録媒体の前記画像データに対応する記録領域に、所定の情報を記録することを特徴とする請求項３記載の再生装置。
【請求項５】
更に撮像手段を有することを特徴とする請求項３又は４記載の再生装置。
【請求項６】
画像再生装置と双方向にシリアルデータを送受信するバスインターフェースを備えるプリンタ装置の制御方法において、
画像データと当該画像データの画像処理条件を含む再生状態制御信号とを前記バスインターフェースを介して受信する受信工程と、
前記受信工程によって受信された画像データ及び再生状態制御信号を記録媒体に記録する記録工程と、
前記再生状態制御信号に応じて、前記記録媒体に記録された画像データを再生する再生工程と、
前記受信工程による画像データの受信が終了したことに応じて前記バスインターフェースに、伝送が終了したことを示す情報を送信する送信工程とを有することを特徴とするプリンタ装置の制御方法。
【請求項７】
前記再生工程で再生された画像データをプリントするプリント工程を有し、前記画像処理条件は、プリントサイズ情報を含むことを特徴とする請求項６記載のプリンタ装置の制御方法。
【請求項８】
プリンタ装置と双方向にシリアルデータを送受信するバスインターフェースを有する再生装置の制御方法において、
記録媒体に記録された画像データと当該画像データの画像処理条件を含む再生状態制御信号とを、前記バスインターフェースを介して前記プリンタ装置に送信する送信工程と、
前記プリンタ装置が前記画像データを前記再生状態制御信号に従ってプリントし、そのプリントが終了したことを示すプリント終了データを受信する受信工程と
を有することを特徴とする再生装置の制御方法。
【請求項９】
前記受信工程が前記プリント終了データを受信したことに応じて、前記画像データを記録する記録媒体の前記画像データに対応する記録領域に、所定の情報を記録することを特徴とする請求項８記載の再生装置の制御方法。
【請求項１０】
更に撮像工程を有することを特徴とする請求項８又は９記載の再生装置の制御方法。
【発明の詳細な説明】
【技術分野】
【０００１】
本発明は、複数の画像が記録されている記憶媒体から画像情報を読み出してプリントするプリント装置及びその制御方法、並びに再生装置及びその制御方法に関する。
【背景技術】
【０００２】
カメラ一体型ＶＴＲの普及に伴ない、ビデオ信号からカラープリントを得たいという要求が強まっている。
【０００３】
一般にビデオテープレコーダ（ＶＴＲ）から再生されたビデオ信号に対応する画面をプリンタで印刷する場合は、ＶＴＲからの再生信号中の所望の画面をプリンタ内のメモリに取込み、該メモリから所定速度でビデオデータを読出してプリントアウトしていた。
【０００４】
図１１はこの種の従来のシステムを模式的に示す図であり、図中８１はＶＴＲ，８２はモニタ，８３はビデオプリンタである。以下、テープ上に記録されている多数の画面中の所望の画面をプリントする際の動作について簡単に説明する。
【０００５】
まず、ＶＴＲ８１を再生モードとし、該ＶＴＲ８１からの再生ビデオ信号がモニタ８２及びプリンタ８３へ供給される状態としておく。操作者はモニタ８２に映出される画面を確認しつつ、所望の画面が映出されたタイミングでプリンタ８３の操作部を操作する。この操作に応じて制御部８５はメモリ部８４が１フレーム分もしくは１フィールド分（以下単に１画面分と称する）のビデオ信号を記憶する様、該メモリ部８４を制御する。メモリ部８４は１画面分のビデオ信号を取込むと、印画部８６の印画速度に対応した所定の速度でこれを読出す。これによって印画部８６により所望の画面のプリントが実現される。
【０００６】
尚、従来ＶＴＲ８１からプリンタ８３へ供給されるビデオ信号は一般にアナログビデオ信号であった。
【発明の開示】
【発明が解決しようとする課題】
【０００７】
そして、上述の如き従来のシステムにあっては、一旦プリントした画面を再度プリントしたい場合に、同一の画面を再選択することは不可能に近かった。即ち、ＶＴＲはＮＴＳＣを例にとると１秒あたり約３０フレームもしくは６０フィールドのビデオ信号が動画として記録されるのであるから、１２０分の記録が可能なテープにあっては１本当り、約４３万フィールドの画像が記録されることになり、これらの中から特定の画面を再検索するのは実質的には不可能である。
【０００８】
従って、ユーザは、一旦プリントした画面を再度見ることができないため、プリントされた画像を見ただけでは、どの画面の画像をプリントしたのか、又は元の画像に対してどの程度の変倍処理を行ったのか等のプリント制御情報を知ることができなかった。
【０００９】
本発明は、かかる点に鑑みてなされたものであり、プリントが終了したことを示すデータを送受信することで、次の画像のプリント準備ができるプリント装置及びその制御方法を提供することを第１の目的をする。
【００１０】
また、本発明はプリントが終了したことを記録することで次回プリント対象とすることを防止できる再生装置及びその制御方法を提供することを第２の目的をする。
【課題を解決するための手段】
【００１１】
上記第１の目的を達成するために、請求項１記載のプリント装置は、再生装置と双方向にシリアルデータを送受信するバスインターフェースと、画像データと当該画像データの画像処理条件を含む再生状態制御信号とを前記バスインターフェースを介して前記再生装置から受信する受信手段と、前記受信手段によって受信された画像データ及び再生状態制御信号を記録媒体に記録する記録手段と、前記再生状態制御信号に応じて、前記記録媒体に記録された画像データを再生する再生手段と、前記受信手段による画像データの受信が終了したことに応じて前記バスインターフェースに、伝送が終了したことを示す情報を送信する送信手段とを有することを特徴とする。
【００１２】
上記第２の目的を達成するために、請求項３の再生装置は、プリンタ装置と双方向にシリアルデータを送受信するバスインターフェースと、記録媒体に記録された画像データと当該画像データの画像処理条件を含む再生状態制御信号とを、前記バスインターフェースを介して前記プリンタ装置に送信する送信手段と、前記プリンタ装置が前記画像データを前記再生状態制御信号に従ってプリントし、そのプリントが終了したことを示すプリント終了データを受信する受信手段とを有することを特徴とする。
【００１３】
上記第１の目的を達成するために、請求項６記載のプリント装置の制御方法は、画像再生装置と双方向にシリアルデータを送受信するバスインターフェースを備えるプリンタ装置の制御方法において、画像データと当該画像データの画像処理条件を含む再生状態制御信号とを前記バスインターフェースを介して受信する受信工程と、前記受信工程によって受信された画像データ及び再生状態制御信号を記録媒体に記録する記録工程と、前記再生状態制御信号に応じて、前記記録媒体に記録された画像データを再生する再生工程と、前記受信工程による画像データの受信が終了したことに応じて前記バスインターフェースに、伝送が終了したことを示す情報を送信する送信工程とを有することを特徴とする。
【００１４】
上記第２の目的を達成するために、請求項８の再生装置の制御方法は、プリンタ装置と双方向にシリアルデータを送受信するバスインターフェースを有する再生装置の制御方法において、記録媒体に記録された画像データと当該画像データの画像処理条件を含む再生状態制御信号とを、前記バスインターフェースを介して前記プリンタ装置に送信する送信工程と、前記プリンタ装置が前記画像データを前記再生状態制御信号に従ってプリントし、そのプリントが終了したことを示すプリント終了データを受信する受信工程とを有することを特徴とする。
【発明の効果】
【００１５】
本発明によれば、プリントが終了したことを示すデータを送受信することで、プリントシステム中の再生装置側では次の画像のプリント準備ができる。また、プリントが終了したことを再生装置側で記録することで次回プリント対象とすることを防止できる。
【発明を実施するための最良の形態】
【００１６】
図１は本発明の実施の形態に係るプリント装置を有するビデオプリントシステムのブロック図である。１は映像記録再生装置（ＶＴＲ）であり、２はモニター，３はビデオプリンタである。ＶＴＲ１はカメラ一体型ＶＴＲ１１とディジタルインターフェイス１０１とからなり、データバスによってビデオプリンタ３内のディジタルインターフェース３２０と接続されている。ビデオプリンタ３内には、メモリ部３１，システムコントローラ（シスコンとも言う）３２，印画部３３，印字部３４，各種信号生成部３８，プリントペーパー４等の必要な機構が内蔵されている。３０は操作ユニットであり、プリント操作のみでなく、ＶＴＲの動作状態をも操作可能になっている。
【００１７】
図２は前記ＶＴＲ本体の構成を示すブロック図であり、システムコントローラ２０１，サーボ系２０２，ドラム２０６，スイッチ２０９等の従来と同様の構成要素を有しているが、プリンタからのデータバス２２８に接続されたディジタルインターフェイス（Ｉ／Ｆ）１０１を介して操作制御信号がシステムコントローラ２０１に入出力されるように構成されている点が異なっている。
【００１８】
次に図３及び図４を参照してプリントデータの記録フォーマットについて説明する。
【００１９】
図３に示す様にプリントデータエリアＰＡはビデオ信号の１．５水平走査期間（Ｈ）分に相当する。即ち、前述のスイッチ２０９はこの１．５Ｈに対応する期間のみオンされる。この１．５Ｈ分のエリアは１．２６Ｈ分のインデックス部と０．２４Ｈ分のデータ部とに分けられる。インデックス部には後述の頭出用信号が記録され、データ部にプリントデータが記録される。
【００２０】
データ部には図３に示す如く５つのワードＷＤ０乃至ＷＤ４，スタート識別データＳ，エンド識別データＥ及び誤り訂正用のＣＲＣＣが記録される。各ワードＷＤ０乃至ＷＤ４は夫々８ビットからなり、各ワードの内容は図４（ａ），（ｂ），（ｃ）に示す通りである。
【００２１】
（ａ）は日付モードで、撮影年月日と曜日、誤り訂正コード、（ｂ）は時刻モードで撮影時分秒とフレームＮｏ．、誤り訂正コード、（ｃ）は経時モードでテープ始端からの時分秒フレームＮｏ．と誤り訂正コードを各々８ｂｉｔで表現したものである。
【００２２】
なお、（ａ），（ｂ），（ｃ）の各モードは適宜選択し、あるいは複数（例えばａとｃ）をトラック交互に記録しても良い。
【００２３】
次にデータバス２２８上での各種データのタイミングを図５に示す。図の上部（イ），（ロ），（ハ）がＶＴＰデータと称しているＶＴＲからプリンタへの情報で、（ロ）はディジタル静止画情報（ＶＩＤＥＯ−ＤＡＴＡ）とＶＴＰコードである。
【００２４】
該ＶＴＰコードは（ハ）に詳細に示す通りＶＴＲの動作状態を示すＶＴＲ  ＳＴＡＴＵＳコードと、前述の８ミリＶＴＲサブコードデータであるところのＣＯＲＤＩＮＧ−ＩＮＤＥＸのワードＷＤ０乃至４と、プリンタ側への各種動作指示のプリント・コマンド・データとから成る。
【００２５】
タイミングチャート（イ）に示す通り、ＶＴＲからの送出タイミングに合わせて「Ｌ」→「Ｈ」と変化している。
【００２６】
図の下部（ニ）（ホ）（ヘ）は、ＰＴＶと称するプリンタからＶＴＲへの情報で、（ホ）はディジタル静止画情報（ＶＩＤＥＯ−ＤＡＴＡ）とＰＴＶコードである。
【００２７】
該ＰＴＶコードは、（ヘ）に詳細に示す通りプリンタの状態を示すＰＲＩＮＴＥＲ  ＳＴＡＴＵＳと，（ハ）と同様のＷＤ０乃至４と、ビデオ動作の指示を与えるビデオコマンドとから成る。
【００２８】
図１の操作ユニット３０のジョグシャトルダイアル３０５等の操作はこのデータエリアを用いて、ＶＴＲ側へ転送される事になる。
【００２９】
また、図６に各情報のビットマップを示す。
【００３０】
上述のビデオコマンドは、最下段に示したもので、コーディングインデックス情報等をテープＴ上へ書き込むか、逆に読み出すかの指定を第０ビットで行い、第１，２ビットで、どの領域に対して上記のリード／ライトを実行するかの指示を与える。ＩＮＤＥＸ以外にＰＣＭのサブコードにも、多数の情報エリアが用意されているので、この２ビットを用い４ヶ所まで識別して、指定可能とした。第３ビットは、ＰＣＭ−ＳＶ等のディジタルデータを図５のビデオデータの転送タイミングに従って、映像データの転送要求を出す時に「Ｈ」とする。第４乃至７ビットはＶＴＲのサーチモードを指定するのに用いる。これは以下の通りの走行状態が指定できる。
【００３１】
０  ＲＥＷＩＤＥ
１  サーチ×（−２０）
２  サーチ×（−５）
３  サーチ×（−１）
４  ＲＥＶＥＲＳＥ×（−１）
５  ＳＬＯＷ  ＳＰＥＥＤ  ＲＥＶ．ＰＬＡＹ
６  ＶＥＲＲＹ  ＳＬＯＷ  ＳＰＥＥＤ  ＲＥＶ．ＰＬＡＹ
７  ＳＴＩＬＬ
８  ＳＴＯＰ
９  ＶＥＲＲＹ  ＳＬＯＷ  ＳＰＥＥＤ  ＰＬＡＹ
ＡＳＬＯＷ  ＳＰＥＥＤ  ＰＬＡＹ
ＢＰＬＡＹ  ×１
Ｃ  サーチ    ×２
Ｄサーチ    ×５
Ｅ  サーチ    ×２０
ＦＦＦ
また、図６に示す様にＷＤ１乃至ＷＤ４迄の４つのデータワードはソート番号に２ビット、倍率（プリントサイズ）に２ビット、プリント枚数に４ビットが割当てられる。即ちソート番号としては４種類（４グループ）設定でき夫々について別の倍率が設定できる。また、プリント枚数は４ビットで０乃至１４枚迄設定可能であり、この４ビットが全て“１”の場合は、マルチ画面プリントという特別な意味を持つ。これは、再生中の画面に続く２５画面を１枚の画面としてプリントすることを意味し、従来の銀塩写真に於けるネガのベタ焼き的効果を期待するプリント態様を意味するものである。
【００３２】
ワードＷＤ０はワードＷＤ１乃至ＷＤ４の管理用ワードで、１フィールド分のデータでプリント画面を作るか、１フレーム分のデータでプリント画面を作るかを示す１ビット（第２ビット）、プリントが終了したか否かを示す１ビット（第１ビット）を含んでいる。第０ビットはこのプリントする画面の直前の１０秒間にプリント指定画面（以下単に親画面と称す）があるか否かを示すビットで、その設定については後述する。第３乃至第７ビットはこのプリント画面がタイムコード等で定義されるフレームの何番目に相当するかを示す５ビットのデータである。
【００３３】
次に本発明のシステムの動作を説明する。
【００３４】
先ず、ビデオプリントシステムの動作の大まかな流れを図１を参照して説明する。
【００３５】
ＶＴＲ部１よりディジタルＩ／Ｆ（インターフェース）１０１にてディジタル化された情報はデータバスを経由して、ビデオプリンタ３へ転送される。映像情報及び制御信号や日付情報等の付加データは、一旦ディジタルＩ／Ｆ３２０が受け取りメモリ部３１，システムコントローラ３２へ供給される。
【００３６】
該システムコントローラ３２は、データの選別及び動作の制御を行なう。
【００３７】
日付情報や、ビデオカメラ１１のキャラクタジェネレータ等から入力されたコメント情報を映像信号として視覚化する為の合成信号生成部３８にてビデオ信号へ交換され、スイッチ３９１の閉成時に合成器３７にてメモリ部３１より出力された静止画像情報と合成されて、印画部３３にて、プリントペーパー４上へプリントされる。
【００３８】
他方で、上記同等の情報はスイッチ３９２の閉成時に印字部３４へ供給され、印字用ヘッドにて上記プリントペーパー４上の印画部３３の印画エリア以外へ通常は記録される。もちろん、該エリア内へ印字し、プリントペーパー上にて合成プリントしても、一向にさしつかえはなく、本発明の範囲内である。
【００３９】
更に、ワードＷＤ０乃至ＷＤ１の付加データを、そのままディジタル２値情報として、バーコード信号発生器３４１にて生成処理し、該印字部３４にて上記同一ペーパー４へ記録しても良い。
【００４０】
記録する場合にはスイッチ３９３を閉じる様に制御する。
【００４１】
上記の３種の記録を同一ペーパー４上へ行なう際、これらの給紙や位置決め制御は、システムコントローラ３２により、紙送機構が実行する。
【００４２】
又、プリントアウト時の日付や時刻、全体のタイマー制御等の時間に関わる処理を行なう為に、カレンダー＆クロック３６を内蔵しており、付加処理回路３５にて、上記ワードＷＤ０乃至ＷＤ４等のデータと合わせて処理される。
【００４３】
上記スイッチ３９（３９１乃至３９３）は、モード切換スイッチ３０１と３０２等のプリンタ３に設けられたマニュアル操作ボタンを受け持つ操作部３２１にてこの操作が検出され、システムコントローラ３２にて処理され、ＳＥＬＥＣＴ信号として、選択処理される。
【００４４】
なお、センサー部３２２は、図８の左下に示したバーコード情報を読み込みを受けもつ検出処理器である。
【００４５】
以上説明した操作はＶＴＲ１に接続された映像／音声（ＡＶ）モニター装置２にて、確認しながら行なう。
【００４６】
記録再生装置部１で再生されたビデオ信号はモニター装置２へ供給される。操作者はモニター装置２に映し出される画像を見ながらカメラ一体型ＶＴＲ１１をプリンタ側の操作ユニット３０にて操作する。
【００４７】
即ち、プリントアウトしたい所望の画面が近づくまで、サーチで早送りや巻戻しを行ない、近づいてくると、スロースピード再生や、スチル再生などで画像を確認しながら画面の検索を行なう。これらの操作は、ＶＴＲでは周知のジョグ・シャトルダイアル３０５や、ポーズボタン３０３にて行なう。
【００４８】
上記の操作の際に発生する、ＶＴＲのサーチ動作命令は、図１に示すデータバス上に乗せられ、Ｉ／Ｆ３２０とＩ／Ｆ１０１間でデータ転送され、カメラ一体型ＶＴＲのリモートコントロール端子（例えばランク端子等）へ供給される。
【００４９】
以下、図７のフローチャートをも参照して本発明システムの詳細動作を説明する。
【００５０】
まず、図１の操作ユニット３０の操作によりＶＴＲ１１を再生モードとする。この時、図２のＶＴＲ１１のシステムコントローラ２０１はＩ／Ｆ３２０及び１０１を介して操作部３２１からの制御情報に従い装置各部を制御する。例えばシステムコントローラ２０１はサーボ回路２０２を介してキャプスタンモータ２０３，ドラムモータ２０４を制御し、選択信号発生器２２５を介してスイッチ２０９，２１２ａ，２１２ｂ，２１４を制御する。勿論、この再生モードに於て上出のダイヤル３０５，ポーズキー３０３等の操作により再生速度が適宜変更される。この変更はキャプスタンモータ２０３の回転速度の変更により実現でき、更にはドラムモータ２０４の回転速度の変更によりヘッドＨａ，ＨｂとテープＴとの相対速度が一定に保たれる。なお、ヘッドムービング機構Ｍａ，Ｍｂによりヘッドのトレース軌跡とトラックとの傾きの差は常に保証されているものとする。
【００５１】
この様な再生モードに於てドラム２０６上に設けられた記録再生ヘッドＨａ，Ｈｂからの再生ビデオ信号はスイッチ２１２ａ，２１２ｂのＰＢ側端子、アンプ２１３ａ，２１３ｂ，更にはスイッチ２１４を経て連続信号とされ、ビデオ再生信号処理回路２１８に入力される。信号処理回路２１８からのビデオ信号はスイッチ２２０のＰＢ側、スイッチ２２９のＮ側を介して図１のモニタ２に出力される。
【００５２】
一方、オーディオエリアＡＡ及びデータエリアＰＡから再生されるディジタルデータは、スイッチ２１４，通常は常閉のスイッチ２１５，コードデータデコーダ２１９を経て、オーディオ信号の場合はＤ／Ａ２３０にてアナログ信号へ変換して出力し、静止画データの場合は、スイッチ２５１のＳＶ側端子を経由して、画像メモリ２１７へ一旦、格納される。
【００５３】
操作者はモニタ２の出力画像を確認しつつ、ダイヤル３０５等を操作して所望の画面を検索する。そして所望の画面が映出されたタイミングでポーズキー３０３を操作してＶＴＲ１１を静止画再生モードとする。この状態でプリント指定ボタン３０４を操作すると、この情報がキー操作部３２１からシステムコントローラ３２，Ｉ／Ｆ３２０及び１０１を介して、システムコントローラ２０１へ送られる。
【００５４】
ここまでの動作が図７のフローチャートのステップ１に相当する。
【００５５】
次に、図７のステップ２に進み、これからプリントするサイズを操作部３２１により指定する。以後操作部３２１により画質（ステップ３），枚数（ステップ４），ソート（ステップ５）等の指定を行なっていく。これらステップ２乃至ステップ４はプリントサイズ毎に夫々設定される。別のプリントサイズがあるか否かはステップ６にて操作部３２１から指示し、あればステップ２に戻り、なければステップ７へ進む。
【００５６】
ステップ７では上述のステップ２乃至５で発生したデータ（以下プリントデータと称す）がＩ／Ｆ３２０及び１０１を介してシステムコントローラ２０１へ転送され、プリントデータ発生器２２４で発生され、ステップ８でこのプリントデータはコードデータエンコーダ２０８へ送られ、同様に表示信号発生器２２２へも送られる。ここでスイッチ２２０を介して出力されている再生ビデオ信号と、上記プリントデータに対応する表示信号発生器２２２の出力信号とが加算器２２６で混合され、プリントすべき画像にプリントデータを示すキャラクタを多重した画面に対応するビデオ信号がＡＤ変換器２２７でデジタル化される。ＡＤ変換器２２７の出力は画像メモリ２１７へ供給されるが、この時プリントデータ発生器２２４はメモリ制御回路２１６の指示によりＡＤ変換器２２７から１フレーム分のビデオ信号を取込みこれを繰り返し出す。これにより画像メモリ２１７からのビデオ信号はＤＡ変換器２２３でアナログ化され、スイッチ２２９のＳ側を介してモニタ２に出力される（ステップ９）。
【００５７】
次に操作者はモニタ２で表示されている画面を観て、プリントする画面及びプリントデータを確認し、思い通りの内容か否かをチェックする（ステップ１０）。思い通りの内容でなければステップ１に戻って最初からやり直し、思い通りの内容であればステップ１１に進んで上述のプリントデータの記録を行なう。
【００５８】
以下、このプリントデータの記録について説明する。
【００５９】
通常、図１のＶＴＲを記録モードとするとビデオ記録信号処理回路２０７に入力されたビデオ信号が記録に適した信号形態とされてスイッチ２１０に供給され、一方Ａ／Ｄ変換器２３０でディジタル化されたオーディオ信号あるいはディジタル化された静止画データも、メモリ２１７よりオーディオ信号と同等のデータレートに低減されて、読み出され、スイッチ２５０にて、音声の場合はＡＵＤ端、静止画の場合はＳＶ端の選択を行ない、コードデータエンコーダ２０８でコード化され常閉のスイッチ２０９を介してスイッチ２１０に供給される。図３にはヘッドＨａ，Ｈｂの回転位相とテープＴ上のトレース位置とが模式的に示され、スイッチ２１０はヘッドＨａ，ＨｂがビデオエリアＶＡをトレースする期間はビデオ記録信号処理回路２０７をアンプ２１１ａ，２１１ｂに接続し、ヘッドＨａ，ＨｂがオーディオエリアＡＡをトレースする期間はコードデータエンコーダ２０８をアンプ２１１ａ，２１１ｂに接続する。
【００６０】
さて、図７のステップ１１によりプリントデータの記録を行なう場合には、選択信号発生器２２５からの信号Ｃ３によりスイッチ２０９が制御され、オーディオエリアＡＡのポストアンブル部及びガード区間の一部に相当するプリントデータエリアＰＡ上をヘッドＨａ，Ｈｂがトレースする期間のみオンされる。また、信号Ｃ１により、この期間のみスイッチ２１２ａ，２１２ｂはＲＥＣ側に接続される。これによってコードエンコーダ２０８でエンコードされたプリントデータをテープＴ上のプリントデータエリアＰＡに記録することができる。即ち、前述のステップ１０に於てプリント画面及びプリントデータが思い通りの内容であれば、ステップ１１で現在再生中のビデオ信号が記録されているトラックのプリントデータエリアＰＡにプリントデータが記録される。即ち、プリント指定画面の記録されているトラックのプリントデータ記録エリアＰＡに図４で示すプリントデータが記録される。
【００６１】
この後、システムコントローラ２０１はキャプスタンモータ２０３を通常記録時と同一速度で駆動し、上述のヘッダ部に１０秒間頭出し信号を記録する。例えば、ベッダ部には通常は２．９ＭＨｚのキャリア信号、上記１０秒間に対応する部分には５．８ＭＨｚのキャリア信号が記録される。そして、前述したワードＷＤ０の第０ビットの親画面の有無を示す１ビットは、図７のステップ１０に於て頭出し信号を再生し、これが５．８ＭＨｚであれば自動的に“１”が設定されることになる。
【００６２】
次に、この様にプリント指定画面が設定されたテープから、そのプリント指定画面をプリントする時の動作について説明する。
【００６３】
まず、ＶＴＲ１１にプリント指定画面の設定されたテープを装填し、キー操作部３２１にてプリント命令を行なうと、システムコントローラ２０１はサーボ回路２０２を介してキャプスタンモータ２０３，ドラムモータ２０４を駆動し、テープＴを高速で搬送しつつ前述のプリントデータエリアＰＡからの信号を再生する。この時スイッチ２１２ａ，２１２ｂはＰＢ側に接続され、スイッチ２１４はコードデータデコーダ側にアンプ２１３ａ，２１３ｂを接続する。スイッチ２１５はヘッドＨａ，ＨｂがプリントデータエリアＰＡをトレースするタイミングでオンされ、コードデータデコーダ２１９は前述のヘッダ部の再生信号が５．８ＭＨｚの時、頭出し制御信号として“１”を出力する。この頭出し制御信号が“１”となったことに応じてシステムコントローラ２０１はテープを記録時と逆方向に、記録時と同一速度で搬送すべくキャプスタンモータ２０３を制御する。
【００６４】
この状態でコードデータデコーダ２１９はデータ部からのデータを再生し、図６に示すデータ中プリント枚数を示す４ビットデータがオール０以外であれば、システムコントローラ２０１はテープＴの搬送を停止する。なお、この時、プリント未のデータが検出されている時のみテープＴの搬送を停止するモードとプリント未であってもプリント済であってもテープＴの搬送を停止するモードのいずれも設定可能である。このテープＴの停止後、以下の如く再生画面のプリントを行なう。
【００６５】
テープＴの停止状態でヘッドムービング機構上のヘッドＭａ，Ｍｂは夫々指定された画面の記録されたトラックをトレースし、この時の再生ビデオ信号はビデオ再生信号処理回路２１８，加算器２２６，Ａ／Ｄ変換器２２７を介して画像メモリ２１７に取込まれる。また、プリントデータはコードデータデコーダ２１９を介してインターフェースとして機能するプリンタ制御信号発生器２２１に取込まれる。これらの取込みが終了すると画像メモリ２１７に格納されているデータ及びプリンタ制御信号発生器２２１の出力するプリンタ制御データはプリンタデータバス２２８へ転送される。プリンタ３はデータバス２２８からのビデオデータを制御データに従いプリントし、プリントが終了するとデータバス２２８にプリント終了を示すデータを送る。そしてプリンタ３からのプリント終了データはプリンタ制御信号発生器を介してシステムコントローラ２０１に送られ、これに伴い、ＶＴＲは次の動作を行なう。
【００６６】
即ち、ＶＴＲはプリント終了データが供給されるとワードＷＤ０の第１ビットが“１”であれば“０”とするプリントデータ書換えを行なう。この時のＶＴＲの動作についてはプリントデータの記録時と同様であるので省略する。そして、次の指定画面の検索を行なうのであるが、親画面が存在する場合にはテープを逆方向に記録時と同一速度で搬送するステップから開始し、存在しない場合にはテープを順方向に高速搬送するステップから開始することになる。
【００６７】
最後に、上記実施例のシステムにより出力されるプリント応用例を図８乃至図１０に示す。図８及び図９は等倍プリントの例で、プリント左下に先に説明したＷＤ０乃至ＷＤ４のプリントデータがバーコードにて記録されている。プリンタ３にこのバーコードの記録再生機能をセンサー部３２２により持たせれば、このプリントからテープＴ上の元のビデオ信号を検索することも可能となる。図１０はＷＤ１乃至ＷＤ４のプリント枚数データがオール“１”の場合にプリントアウトされるマルチ画面を示しており、各縮小画の右下にはタイムコード等のテープ上の画面番地が印画されている。ＶＴＲにこのタイムコードを用いてテープＴの検索をする機能が設けられていれば同様にテープＴ上の元のビデオ信号を検索することが可能となる。
【００６８】
上述の如き構成のＶＴＲを含むシステムでは、まず、プリントする画面の選択を全て行なった後、各プリント画面の自動プリントが可能となったので、この種のシステムの操作性が飛躍的に向上する。
【００６９】
また、一旦プリントした画面でもテープ上のプリントデータを再生することにより容易に再プリントできる。
【００７０】
更に、プリント指定画面近傍の所定数の画面に頭出しのための検索用マークを付加することにより、プリント指定画面の検索時にテープを高速搬送することができる。
【００７１】
尚、前述のＷＤ０乃至ＷＤ４中のタイムコードには撮影年月日の他に、テープ始端からのフレームＮｏ．も記録可能であるので、これらの情報を用いる事でテープＴ上の映像信号やＰＣＭ−ＳＶ記録部分の検索を容易に行なう事ができる。又、日付等の付加情報が不要の場合には、スイッチ３９でＯＦＦを選択する。
【００７２】
以上説明したように本実施の形態によると、映像信号の再生装置と、この再生装置からの再生映像信号をディジタルデータとして伝送する為の第１のディジタルインターフェース部を有する映像信号再生部と、上記再生装置の画面検索の為の操作部材と、該操作部材により生成された制御データを上記再生装置へ供給する為の第２のディジタルインターフェース部を有し、上記再生装置からの再生映像信号を印画可能なプリンタとを備え、前記操作部材を前記プリンタ側に設けたので、プリンタ側から各種の操作が可能となり、ＶＴＲ側に専用の検索用（スイッチ等）の部材を持たなくても、良好なサーチが行える。これは、カメラ本体の小型化の進むカメラ一体型ＶＴＲにおいては、極めて有効である。又ＶＴＲ側とプリンタ側の双方にディジタルインターフェース部を設けたので、複雑な配線も必要でなく、ＶＴＲとプリンタとを結ぶ配線のコネクターも小型で簡易的なものが利用できるので、カメラ一体型ＶＴＲには、更に効果の高いものである。
【００７３】
更に、前記両ディジタルインタフェース部同士を単一のデータバスで接続したので、配線が一層簡素化し、カメラ一体型ＶＴＲの小型化に格別寄与することができる。
【００７４】
また、本実施の形態によれば、複数の画像と、その複数の画像からプリントすべき画像を指定する画像指定情報（例えば、撮影年月日、フレームＮｏ．等）を含むプリント制御情報（例えば、倍率（プリントサイズ）、プリント枚数、種類（グループ）、フィールド画像又はフレーム画像などの画像の形式等）とが記録されている記憶媒体（テープＴ）から所望の画像を読みだしてプリントする場合に、プリント制御情報を画像とともにプリントすることができるので、例えば、元々の記録媒体がないような状態でも、ユーザはプリントされた画像を見るだけでプリント制御情報を確認することができる。
【００７５】
例えば、プリント制御情報として画像指定情報をプリントすれば、ユーザはどの画像をプリントしたかが認識できる。また、枚数情報をプリントすれば、ユーザは他に何枚プリントされたのかを認識することができる。グループ分けに関する情報をプリントすれば、ユーザはプリントされた画像がどのグループに属するのかを認識することができる。さらに、フィールド画像又はフレーム画像などの画像の形式に関する情報をプリントすれば、ユーザはプリントされた画像がフィールド画像なのか又はフレーム画像なのかを認識することができる。
【００７６】
また、例えば、プリントサイズや変倍率に関する情報をプリントすれば、元の画像データの大きさ等も知ることができ、次のプリント時に別のサイズを指定するのに役立つという効果を奏する。
【００７７】
また、指示手段（スイッチ３９）でプリント制御情報をプリントするか否か選択することもできるので、プリント制御情報の中身を知る必要がない、もしくは知られたくないような場合に、特に好適である。
【００７８】
以上説明した実施の形態においては、媒体としてテープ状のものを挙げたがこれに限らずディスク状であってもよいし、他の形態例えば固体メモリであってもよい。又本実施の形態ではビデオ信号としてテレビジョン信号を例に挙げたがこれに限らず電子ファイル等の静止画像であってもよい。
【図面の簡単な説明】
【００７９】
【図１】本発明の実施の形態に係るプリント装置を有するビデオプリントシステムのブロック図である。
【図２】図１のシステムのＶＴＲ側のブロック図である。
【図３】本発明に用いられる記録フォーマットの説明図である。
【図４】本発明に用いられる記録データの説明図である。
【図５】データバスのデータのタイミング図である。
【図６】データバスのデータの割り付けを示す図である。
【図７】本発明の動作フローチャートである。
【図８】プリント例を示す図である。
【図９】プリント例を示す図である。
【図１０】マルチ画図のフォーマットを示す図である。
【図１１】従来システムのブロック図である。
【符号の説明】
【００８０】
１  ＶＴＲ部
３  プリンタ
３０  操作部材
１０１，３２０  ディジタルインターフェース部
２２８  データバス
【図１】
0003720838.tif 000002
【図２】
0003720838.tif 000003
【図３】
0003720838.tif 000004
【図４】
0003720838.tif 000005
【図５】
0003720838.tif 000006
【図６】
0003720838.tif 000007
【図７】
0003720838.tif 000008
【図８】
0003720838.tif 000009
【図９】
0003720838.tif 000010
【図１０】
0003720838.tif 000011
【図１１】
0003720838.tif 000012